【手続補正書】
【提出日】平成20年9月3日(2008.9.3)
【手続補正１】
【補正対象書類名】特許請求の範囲
【補正対象項目名】全文
【補正方法】変更
【補正の内容】
【特許請求の範囲】
【請求項１】
Ｃ70フラーレン分子からなる壁厚１ｎｍ〜１μｍの中空構造部を持つことを特徴とするＣ70フラーレンチューブ。
【請求項２】
請求項１に記載のＣ70フラーレンチューブに、Ｃ60フラーレン、Ｃ70以外の高次のフラーレン、フラーレン誘導体、金属内包フラーレンのうち少なくともいずれかのフラーレン分子が含まれることを特徴とするＣ70フラーレンチューブ。
【請求項３】
Ｃ60フラーレン分子とＣ70フラーレン分子の２成分から構成され、Ｃ60フラーレン分子とＣ70フラーレン分子の組成がＣ60xＣ70(1-x)（０＜ｘ＜１）であることを特徴とする請求項２に記載のＣ70フラーレンチューブ。
【請求項４】
チューブの端部が閉鎖または開口していることを特徴とする請求項１から３のいずれかに記載のＣ70フラーレンチューブ。
【請求項５】
Ｃ70フラーレン分子からなる壁厚１ｎｍ〜１μｍの中空構造部を持つＣ70フラーレンチューブの製造方法であって、少なくとも、以下の工程を含むことを特徴とするＣ70フラーレンチューブの製造方法。
（Ａ）Ｃ70フラーレン分子を第１溶媒に溶解した溶液に、前記第１溶媒よりもＣ70フラーレン分子の溶解能の低い第２溶媒を添加する工程
（Ｂ）前記溶液と前記第２溶媒との間に液−液界面を形成させる工程
（Ｃ）前記液−液界面にてＣ70細線を析出させる工程
（Ｄ）前記Ｃ70細線を内部選択溶解させる工程
【請求項６】
Ｃ70フラーレン分子からなる壁厚１ｎｍ〜１μｍの中空構造部を持つＣ70フラーレンチューブの製造方法であって、少なくとも、以下の工程を含むことを特徴とするＣ70フラーレンチューブの製造方法。
（Ａ）Ｃ60フラーレン、Ｃ70以外の高次のフラーレン、フラーレン誘導体、金属内包フラーレンのうち少なくともいずれかのフラーレン分子とＣ70フラーレン分子を第１溶媒に溶解した溶液に、前記第１溶媒よりも前記フラーレン分子とＣ70フラーレン分子の溶解能の低い第２溶媒を添加する工程
（Ｂ）前記溶液と前記第２溶媒との間に液−液界面を形成させる工程
（Ｃ）前記液−液界面にて前記フラーレン分子とＣ70フラーレン分子から構成されるＣ70細線を析出させる工程
（Ｄ）前記Ｃ70細線を内部選択溶解させる工程
【請求項７】
第１溶媒がピリジン、第２溶媒がイソプロピルアルコールであることを特徴とする請求項５または請求項６に記載のＣ70フラーレンチューブの製造方法。
【手続補正２】
【補正対象書類名】明細書
【補正対象項目名】０００５
【補正方法】変更
【補正の内容】
【０００５】
この出願の発明は、上記の課題を解決するものとして、第１には、Ｃ70フラーレン分子からなる壁厚１ｎｍ〜１μｍの中空構造部を持つことを特徴とするＣ70フラーレンチューブを提供する。
【手続補正３】
【補正対象書類名】明細書
【補正対象項目名】０００９
【補正方法】変更
【補正の内容】
【０００９】
第５には、Ｃ70フラーレン分子からなる壁厚１ｎｍ〜１μｍの中空構造部を持つＣ70フラーレンチューブの製造方法であって、少なくとも、以下の工程を含むことを特徴とするＣ70フラーレンチューブの製造方法を提供する。
（Ａ）Ｃ70フラーレン分子を第１溶媒に溶解した溶液に、前記第１溶媒よりもＣ70フラーレン分子の溶解能の低い第２溶媒を添加する工程
（Ｂ）前記溶液と前記第２溶媒との間に液−液界面を形成させる工程
（Ｃ）前記液−液界面にてＣ70細線を析出させる工程
（Ｄ）前記Ｃ70細線を内部選択溶解させる工程
第６には、Ｃ70フラーレン分子からなる壁厚１ｎｍ〜１μｍの中空構造部を持つＣ70フラーレンチューブの製造方法であって、少なくとも、以下の工程を含むことを特徴とするＣ70フラーレンチューブの製造方法を提供する。
（Ａ）Ｃ60フラーレン、Ｃ70以外の高次のフラーレン、フラーレン誘導体、金属内包フラーレンのうち少なくともいずれかのフラーレン分子とＣ70フラーレン分子を第１溶媒に溶解した溶液に、前記第１溶媒よりも前記フラーレン分子とＣ70フラーレン分子の溶解能の低い第２溶媒を添加する工程
（Ｂ）前記溶液と前記第２溶媒との間に液−液界面を形成させる工程
（Ｃ）前記液−液界面にて前記フラーレン分子とＣ70フラーレン分子から構成されるＣ70細線を析出させる工程
（Ｄ）前記Ｃ70細線を内部選択溶解させる工程
また、この出願の発明は、第７には、上記のＣ70フラーレンチューブの製造方法において、第１溶媒がピリジン、第２溶媒がイソプロピルアルコールであることを特徴とするＣ70フラーレンチューブの製造方法を提供する。
【手続補正４】
【補正対象書類名】明細書
【補正対象項目名】００１３
【補正方法】変更
【補正の内容】
【００１３】
この出願の発明のＣ70フラーレンチューブは、Ｃ70フラーレン分子からなる中空構造部を持つ。また、Ｃ70フラーレンチューブには、Ｃ70フラーレン分子以外に、例えばＣ60フラーレン、Ｃ70以外の高次のフラーレン、フラーレン誘導体、金属内包フラーレンのうち少なくともいずれかのフラーレン分子が含まれていてもよい。特に、Ｃ60フラーレン分子とＣ70フラーレン分子の２成分から構成され、Ｃ60フラーレン分子とＣ70フラーレン分子の組成がＣ60xＣ70(1-x)（０＜ｘ＜１）のＣ70フラーレンチューブであってもよい。フラーレン誘導体としては、各種のフラーレン（Ｃ60、Ｃ70、Ｃ82など）に各種の官能基を結合したもの、金属内包フラーレンとしては、それらフラーレン誘導体に各種の金属を内包させたものであってよい。具体的には、Ｃ60、Ｃ70、Ｃ82を初めとするフラーレンに、ヒドロキシル基、アルコキシ基、アリール基、アシル基、アセチル基、カルボキシル基、アルコキシカルボニル基、ハロゲン基、シアノ基、アミノ基、イミノ基、ニトロ基、メルカプト基、アルキルチオ基、スルホニル基、アシル基などの置換基を１つ以上有するもの、あるいは、それらがさらに、遷移金属や希土類金属を内包するものが例示される。中でも、Ｃ60のマロン酸ジエチルエステル誘導体、Ｃ60のＮ−メチルピロリジン誘導体、Ｃ60のフェロセン誘導体、およびＣ60の白金誘導体が好ましいものとして挙げられる。
【手続補正５】
【補正対象書類名】明細書
【補正対象項目名】００１５
【補正方法】変更
【補正の内容】
【００１５】
この出願の発明のＣ70フラーレンチューブは、上記のようにＣ70フラーレン分子からなる中空構造部を持つが、その両端部が閉じていても、開いていてもよく、一端のみが閉じていてもよい。また、中空構造が細線の一部にできているものであってもよい。
【手続補正６】
【補正対象書類名】明細書
【補正対象項目名】００１８
【補正方法】変更
【補正の内容】
【００１８】
この出願の発明は、Ｃ70フラーレン分子からなる壁厚１ｎｍ〜１μｍの中空構造部を持つＣ70フラーレンチューブの製造方法をも提供する。具体的には、少なくとも、以下の工程を含むものである。
（Ａ）Ｃ70フラーレン分子を第１溶媒に溶解した溶液に、前記第１溶媒よりもＣ70フラーレン分子の溶解能の低い第２溶媒を添加する工程
（Ｂ）前記溶液と前記第２溶媒との間に液−液界面を形成させる工程
（Ｃ）前記液−液界面にてＣ70細線を析出させる工程
（Ｄ）前記Ｃ70細線を内部選択溶解させる工程
により、中空構造部を持つＣ70フラーレンチューブが得られる。